(57)【要約】【課題】排水トラップの本体から取り外して清掃される構成部材の取り外しの容易な排水トラップを提供する。【解決手段】上部に開放された取水口と取り入れられた水を貯留する封水溜と該貯水を外部へ排出する排水口とを有するトラップ本体と、上記取水口から上記封水溜内へ挿入吊設され該封水溜と協働して封水部を形成する封水筒と、該封水筒上に載置され髪の毛を捕集するヘアキャッチャとを備える排水トラップにおいて、上記封水筒は、外縁上端に複数の突起を備えるとともに、上記ヘアキャッチャは、指先で抓むことができる抓み部と外周部に上記突起に外嵌する欠切部を備え、上記ヘアキャッチャは、上記抓み部を抓んで持ち上げることにより、上記欠切部が上記突起に外嵌された所定の位置から取り外し可能に形成される。【選択図】  図３
2005325524.tif 000002
【特許請求の範囲】
【請求項１】
上部に開放された取水口と取り入れられた水を貯留する封水溜と該貯水を外部へ排出する排水口とを有するトラップ本体と、上記取水口から上記封水溜内へ挿入吊設され該封水溜と協働して封水部を形成する封水筒と、該封水筒上に載置され髪の毛を捕集するヘアキャッチャとを備える排水トラップにおいて、
上記封水筒は、外縁上端に複数の突起を備えるとともに、上記ヘアキャッチャは、指先で抓むことができる抓み部と外周部に上記突起に外嵌する欠切部を備え、
上記ヘアキャッチャは、上記抓み部を抓んで持ち上げることにより、上記欠切部が上記突起に外嵌された所定の位置から取り外し可能に形成されたことを特徴とする排水トラップ。
【請求項２】
前記突起は、上端に前記封水筒の中心方向を指向して略水平に突出し前記欠切部を掛止可能な突起を備え、前記ヘアキャッチャを上記突起との外嵌状態から離脱浮遊することを防止することを特徴とする請求項１記載の排水トラップ。
【請求項３】
上部に開放された取水口と取り入れられた水を貯留する封水溜と該貯水を外部へ排出する排水口とを有するトラップ本体と、上記取水口から上記封水溜内へ挿入吊設され該封水溜と協働して封水部を形成する封水筒とを備える排水トラップにおいて、
上記排水トラップは、上記取水口と上記封水筒間に、該封水筒を回転操作により着脱可能とするロック機構を備えるとともに、上記封水筒は、外縁上端に複数の突起を備え、上記回転操作は該突起に回転方向の力を付与することにより行うことができることを特徴とする排水トラップ。
【発明の詳細な説明】
【技術分野】
【０００１】
本発明は、ユニットバス等の浴室に備えられる排水トラップに係り、特に排水トラップの本体から取り外して清掃される構成部材の取り外しを容易にした排水トラップに関する。
【背景技術】
【０００２】
ユニットバスの排水構造は、例えば図６に示すように、浴槽１０７からの排水と洗い場部１０３からの排水を合流させてから排水管１２４へと接続する排水構造が一般的であり、通常この合流部（排水ピット）に排水トラップ１１０が設けられる。
【０００３】
排水トラップ１１０は、トラップ本体１１１と下水管からの臭気やガスが浴室内へ浸入するのを防ぐための封水筒１１４を備える。
【０００４】
この封水筒１１４は、図７に示すように、止水のためのパッキン１１７及び回動を滑らかにするすべりワッシャ１１８を介して取付フランジ１１２中に載置固定される。より具体的には、封水筒１１４を、取付フランジ１１２内に挿通し、封水筒１１４の鍔１１４ｄを、取付フランジ１１２の当接面部１１２ｃの当接面欠切部１１２ｄから通過させ、次に鍔１１４ｄが当接面部１１２ｃの下面の下方となる位置まで降下させた後、さらに、突起１１４ｃを指で挟み持って封水筒１１４を回転させると、封水筒１１４の環状部１１４ｂ端部裏面のパッキン１１７と当接面部１１２ｃの上面が当接するとともに、鍔１１４ｄ上面と当接面部１１２ｃの下面が当接して、当接面部１１２ｃは鍔１１４ｄ及びパッキン１１７に挟持され、封水筒１１４が取付フランジ１１２を介し、トラップ本体１１１に気密的に取付固定される。
【０００５】
そして、この封水筒１１４上に、浴室の洗い場部１０３から流れ出る髪の毛等のごみ類を捕集するための網の目状のヘアキャッチャ１１５が取り付けられる。ヘアキャッチャ１１５は、排水時の圧力により浮き上がるのを防止するため、封水筒と同様の回転操作によるロック機構より、取付フランジ１１２に固定される。
【０００６】
ところで、封水筒１１４には、常時汚水が貯留されるので、垢やゴミが付着し易く、この垢等が悪臭の原因となる。またヘアキャッチャ１１５は、その本来の目的から、目詰まりを防止するため、どちらも取り外して清掃する必要がある。
【０００７】
しかしながら、定期的な清掃を怠り長期間放置すると、垢や髪の毛が、図８の部分拡大図に示すように、封水筒１１４と取付フランジ１１２間（同図中Ｘ部）、及び／又は封水筒１１４とヘアキャッチャ１１５間（同図中Ｙ部）にこびりついてこれらを固着させ、回転させることを困難にする。
【０００８】
取り外し作業のために、封水筒１１４上部には突起１１４ｃが設けられ、これを手掛かりとして封水筒１１４を回転させて取り外す。ところが、この突起１１４ｃは、手掛かり面積が小さく、指先で押さなければならないため、力が入りづらいという問題がある。そのため、垢や髪の毛が固着したときには、回転に余分な労力を必要とし、例えば１０ｃｍ角程度の木片等を突起にかけて、梃子の原理を用いて回す等の手間が生じた。
【０００９】
ヘアキャッチャ１１５には、一例として、中央に抓み部１１５ｅ及び／又は外周部に取っ手１１５ｆが設けられ、やはりこれを手掛かりとして回転させて取り外す。ところが、抓み部１１５ｅは回転の中央にあるため回転力を与え難く、逆に、取っ手１１５ｆは外縁にあるため、排水トラップ１１０上方の防水パン１０２の排水凹部１３０の側壁に近すぎて持ち難いという難点がある。
【００１０】
このような問題を解決するために、取っ手を（ヘアキャッチャの）縁部から外方へ突設させたヘアキャッチャが提案されている（例えば、特許文献１参照。）。
【００１１】
しかしながら、この構成では、非使用時に取っ手を隠蔽するために、排水トラップを設置する排水凹部が大きくなって、入浴者が足を載せたがらない広い面積が増えるばかりか、意匠性もよくない。また、封水筒の取り外しについては考慮されていない。
【特許文献１】特開２０００−３４７６０号公報（図３）
【発明の開示】
【発明が解決しようとする課題】
【００１２】
本発明は、上述した事情を考慮してなされたもので、排水トラップの本体から取り外して清掃される構成部材の取り外しの容易な排水トラップを提供することを目的とするものである。
【課題を解決するための手段】
【００１３】
本発明に係る排水トラップは、上述した課題を解決するために、請求項１に記載したように、上部に開放された取水口と取り入れられた水を貯留する封水溜と該貯水を外部へ排出する排水口とを有するトラップ本体と、上記取水口から上記封水溜内へ挿入吊設され該封水溜と協働して封水部を形成する封水筒と、該封水筒上に載置され髪の毛を捕集するヘアキャッチャとを備える排水トラップにおいて、上記封水筒は、外縁上端に複数の突起を備えるとともに、上記ヘアキャッチャは、指先で抓むことができる抓み部と外周部に上記突起に外嵌する欠切部を備え、上記ヘアキャッチャは、上記抓み部を抓んで持ち上げることにより、上記欠切部が上記突起に外嵌された所定の位置から取り外し可能に形成されるものである。
【００１４】
前記突起は、より好適には、請求項２に記載したように、上端に前記封水筒の中心方向を指向して略水平に突出し前記欠切部を掛止可能な突起を備え、前記ヘアキャッチャを上記突起との外嵌状態から離脱浮遊することを防止する構成とすることが望ましい。
【００１５】
そして、上述した課題を解決するために、請求項３に係る排水トラップは、上部に開放された取水口と取り入れられた水を貯留する封水溜と該貯水を外部へ排出する排水口とを有するトラップ本体と、上記取水口から上記封水溜内へ挿入吊設され該封水溜と協働して封水部を形成する封水筒とを備える排水トラップにおいて、上記排水トラップは、上記取水口と上記封水筒間に、該封水筒を回転操作により着脱可能とするロック機構を備えるとともに、上記封水筒は、外縁上端に複数の突起を備え、上記回転操作は該突起に回転方向の力を付与することにより行うことができるものである。
【発明の効果】
【００１６】
本発明に係る排水トラップによれば、排水トラップの本体から取り外して清掃される構成部材の取り外しを容易に行うことができる効果が得られる。
【発明を実施するための最良の形態】
【００１７】
本発明に係る排水トラップの実施の形態について、図を参照して説明する。図１は、本発明に係る排水トラップを備えるユニットバス１における排水トラップの配置を説明するものである。
【００１８】
ユニットバス１は、図１に示すように、防水パン２と、浴槽７と、壁パネル８と、排水ピット部６とを備える。また、ユニットバス１はこれらに加え、図示しないドアや天井パネル、給水・給湯設備等も備えている。
【００１９】
防水パン２は、樹脂材によって一体的に形成されており、図１に示すように、一方に人が体を洗える洗い場部３が形成され、他方側に浴槽７が載置される浴槽載置部４が形成されていて、これらが上方への立ち上がりである土手部５により離隔されている。
【００２０】
洗い場部３は、外周上縁が同一高さに形成され、排水の流れる床面が、浴槽７の長手方向中間部に設けられた排水ピット部６に向かって、すり鉢状に下るように傾斜された流水面Ｓ１となっている。
【００２１】
浴槽設置部４は、洗い場部３より一段低く形成され、排水の流れる床面が、排水ピット部６に向かってすり鉢状に下るように傾斜された流水面Ｓ２となっている。
【００２２】
浴槽７は、下部側の脚（図示せず）を介して防水パン２の浴槽載置部４上に載置され、洗い場部３側の側面は、浴槽７上部に拡開形成されたリム７ａと土手部５間に立設されたエプロン９により掩蔽される。
【００２３】
浴槽７の長手方向中間の洗い場部３側、すなわち、洗い場部３の最も低い位置に排水凹部３０が設けられ、排水ピット部６は、この排水凹部３０において、防水パン２の裏面に突出して吊設される。排水ピット部６は、通常トラップカバー３１が載置されて掩蔽される。
【００２４】
トラップカバー３１は、略四角形の上面３１ａと、それを排水ピット部６上に支える四方に設けられた脚部３１ｂとから構成される。トラップカバー３１の上面３１ａの縦横の大きさは排水凹部３０の縦横の大きさよりも小さく形成されているので、トラップカバー３１の四周と排水凹部３０との間には隙間が設けられ、洗い場部３からの排水はこの隙間から排水ピット部６へと流れ落ちていく。また、トラップカバー３１の上面は近傍の床レベルと同じ高さとなって、人が足を引っ掛けたり、目皿に溜まったゴミが見えたりするのを防止する。
【００２５】
図２は、排水ピット部６の縦断面を示すものである。排水ピット部６は、防水パン２上の排水と浴槽７中の排水とを、臭気の逆流を防止した状態で、バスユニット１外に排出するものであり、防水パン２の下面側に、この防水パン２から下方に突出するように取り付けられている。この排水ピット部６は、大別して、浴槽載置部４の排水を担当する排水エルボ２０と、洗い場部３の排水を受け持つ排水トラップ１０とから構成される。
【００２６】
排水エルボ２０のフランジ面２１は、図２に示すように、防水パン２に形成された排水エルボ取付用開口２５中に、防水パン２の上面と略面一となるように嵌め込まれ、その上面が防水パン２の上面とともに、土手欠切５ａの裏側に位置する部分に向かって下り勾配で傾斜する流水面Ｓ２を形成している。この場合、フランジ面２１の浴槽排水孔２１ａは、浴槽７の排水孔７ｂと対向する位置に位置決めされる。一方、フランジ面２１と反対側の端部は、排水トラップ１０本体の側面の浴槽排水取水口１１ｂに接続されている。
【００２７】
このフランジ面２１には、浴槽７に接続された排水金具２２を挿入するための浴槽排水孔２１ａと、浴槽載置４に溜まった水を排水するための床排水孔２１ｃとが穿設されている。
【００２８】
浴槽排水孔２１ａには、浴槽７の排水孔７ｂに接続された排水金具２２が嵌挿されているので、浴槽排水は排水エルボ２０を経由し、排水トラップ１０に導かれ排水される。また、浴槽載置部４に流れ込んだ浴槽７の溢れ水などは、排水エルボ２０の床排水孔２１ｂから浴槽排水同様に排水トラップ１０に導かれて排水される。この床排水孔２１ｂには浴槽排水時の水圧により浴槽内の水が浴槽載置部４に溢れ出してくるのを防止するために逆止弁２１ｃが装備されている。
【００２９】
このように、浴槽載置部４の排水は、浴槽７及び浴槽載置部４の床面のいずれからも、一旦排水エルボ２０を経由して、洗い場部３の排水トラップ１０へと排出される。
【００３０】
排水トラップ１０は、この排水ピット６の要部を成すものであり、洗い場部３の最も低い位置に設けられた排水凹部３０の底面に取り付けられており、トラップ本体１１と、取付フランジ１２と、Ｕパッキン１３と、封水筒１４と、ヘアキャッチャ１５と、パッキン１６とから構成されている。
【００３１】
トラップ本体１１には、図３に示すように、上部が開口した円筒状の容器であり、下部側中央に所定高さの封水溜１１ａが形成されるとともに、この封水溜１１ａの下部に連通するように、浴槽載置部４からの排水を集める排水エルボ２０が接続される浴槽排水取水口１１ｂが形成されている。上部の開口は、洗い場部３からの排水が流入する取水口となっている。
【００３２】
また、トラップ本体１１には、封水溜１１ａの上方側と連通するように、排水口１１ｃが形成され、排水管２４が接続されている。さらに、円筒状のトラップ本体１１上部内面には、ねじが螺刻された雌ねじ部１１ｄが形成され、この雌ねじ部１１ｄが取付フランジ１２ｂに設けられた雄ねじ部１２ａと螺合して、排水トラップ１０を排水凹部３０から吊設する。
【００３３】
このトラップ本体１１上部には、トラップ本体１２を排水凹部３０から吊設するための取付フランジ１２が載置される。取付フランジ１２は、外周にねじが螺刻された短い円筒状の雄ねじ部１２ａと、この雄ねじ部１２ａの上部から外方略水平に延出するフランジ部１２ｂと、雄ねじ部１２ａの中段に取付フランジ１２の開口周りに突出する環状の当接面部１２ｃとから形成される。
【００３４】
取付フランジ１２は、図３に示すように、上端側のフランジ部１２ｂが、排水凹部３０の開口縁部に取り付けられたＵパッキン１３に載置された状態で排水凹部３０に係止され、トラップ本体１１の封水溜１１ａに差し込まれる封水筒１４の環状部１４ｂが当接面部１２ｃ上に係止されている。したがって、排水トラップ１０は、取付フランジ部１２の雄ねじ部１２ａをトラップ本体１１の雌ねじ部１１ｄにねじ込んで、取付フランジ１２のフランジ部１２ｂと、トラップ本体１１とでＵパッキン１３を加圧することにより、防水パン２に取り付けられる。
【００３５】
封水筒１４は、図３及び図４に示すように、上下に開口した筒状部１４ａの下端が封水溜１１ａ内に配置されるとともに、上端側に筒状部１４ａ上端部から拡開された環状部１４ｂと、該環状部１４ｂの上端直下となる位置であって、筒状部１４ａの側面に複数箇所設けた鍔１４ｄ、及び環状部１４ｂの下面に貼着された環状のパッキン１６より形成される。
【００３６】
また、環状部１４ｂ上面には、封水筒１４を回動操作して取付フランジ１２に固設させるため、及びヘアキャッチャ１５を所定の位置に取り付けるための突起１４ｃが複数立設され、この突起１４ｃ上端には、さらに、内方略水平に突出する掛止部１４ｅが突設される。
【００３７】
以下封水筒１４の取り付けについて、図３及び図４を参照して説明する。まず、封水筒１４を、下端が封水溜１１ａ内に配置されるように取付フランジ１２内に挿通する。このとき、図３に示すように、封水筒１４の鍔１４ｄを、取付フランジ１２の当接面部１２ｃの当接面欠切部１２ｄから通過させ、次に鍔１４ｄが当接面部１２ｃの下面の下方となる位置まで降下させる。
【００３８】
さらに、封水筒１４を回転させると、環状部１４ｂ端部裏面のパッキン１６と当接面部１２ｃの上面が当接するとともに、鍔１４ｄ上面と当接面部１２ｃの下面が当接して、当接面部１２ｃは鍔１４ｄ及びパッキン１６に挟持され、封水筒１４が取付フランジ１２を介し、トラップ本体１１に気密に取付固定される。
【００３９】
この場合、本実施形態に係る封水筒１４は、環状部１４ｂ上部に従来のものに比べて大きく突出した突起１４ｃを有するので、指で挟んで掴み易く、無理なく封水筒１４を回動させることができる。また、垢等がこびりついて封水筒１４を回転させるのに大きな力が必要となった場合でも、十分な高さがあるので、例えば掌を押し当てて大きな力を加えることも可能となる。
【００４０】
ヘアキャッチャ１５は、図３及び図４に示すように、封水筒１４の環状部１４ｂ頂部に載置される外環部１５ａ内に、網部１５ｂが形成され、網部１５ｂの中央部には、円筒状の内環部１５ｃが立ち上がっている。また、外環部１５ａには、封水筒１４の突起１４ｃに外嵌可能な形状を有する、突起１４ｃと同数の外環欠切部１５ｄが設けられ、この外環欠切部１５ｄを封水筒１４の突起１４ｃに外嵌して落とし込むことにより、ヘアキャッチャ１５は位置ずれを起こすことなく排水トラップ１０に取付られる。
【００４１】
このヘアキャッチャ１５は、取り外しのための抓み部１５ｅを備え、この抓み部１５ｅは、指で抓み易いように、外環１５ａ上に外方へ指向する略涙の形状を有する板材で形成される。このヘアキャッチャ１５を取り外すには、この抓み部１５ｅを指で抓んで持ち上げるだけでよい。従来型のヘアキャッチャのように回動させる必要がないため、余分な力を加えなくてもよいので、大きな手掛かり部も不要となる。
【００４２】
次に、このヘアキャッチャ１５の封水筒１４上での動静について説明する。図５（ａ）は、通常時におけるヘアキャッチャ１５の位置を示すものであり、外環部１５ａが封水筒１４の環状部１４ａ上に載置された所定の位置に納まっている。
【００４３】
ところが、浴槽７内の水が排水されると、この水は排水エルボ２０を経由して排水トラップ１０内に浸入し、封水溜１１ａの封水高さを越え、ヘアキャッチャ１５にこれを持ち上げようとする力が加わる。
【００４４】
従来のヘアキャッチャは、回動操作によるロック機構をロック状態にして取り付けるので、このような場合であっても、ヘアキャッチャが浮き上がることはない。一方、本発明に係るヘアキャッチャ１５はこのような回動式のロック機構を持たないので、浮き上がる虞がある。
【００４５】
しかしながら、図５（ｂ）に示すように、封水筒１４の突起１４ｃ上端に突設された掛止部１４ｅに掛止されるので、突起１４ｃから離脱して浮遊状態になることはない。
【００４６】
一方、このように水平を保ったままでは、掛止部１４ｅに掛止されて、ヘアキャッチャ１５を突起１４ｃに対する外嵌状態から開放することができない。そこで、ヘアキャッチャ１５を取り外す場合には、図５（ｃ）に示すように、抓み部１５ｅの反対側端部を封水筒１４上に残したまま、抓み部１５ｅ側のみを持ち上げれば、対向する外嵌欠切部１５ｄ，１５ｄ間の水平投影距離が短くなり、言い換えれば、対向する突起１４ｃ，１４ｃ間の距離より短くなって、掛止部１４ｅに掛止することなく取り外すことができる。
【００４７】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４８】
例えば、本実施形態では、床全面に敷設された防水パン上に浴槽を載置し、壁パネルを防水パン外縁上に周設させる所謂二重防水パン構造のユニットバスに適用する場合を例にとって説明したが、架台上に洗い場の床と浴槽とを一体で形成し、浴槽のリム上に壁パネルを載置する所謂ハーフ構造（洗い場付浴槽或いは洗い場一体型浴槽ともいわれる）のユニットバスに適用することも勿論可能であり、また在来浴室においても適用することも可能である。
【００４９】
また、必ずしも浴槽からの排水も処理できるものである必要はなく、そのため、排水エルボとの接続部である浴槽排水取水口を備えていなくてもよい。
【図面の簡単な説明】
【００５０】
【図１】本発明に係る排水トラップのユニットバス内での配置を示す斜視図。
【図２】本実施形態に係る排水トラップを主要部とする排水ピット部の全体構成を示す縦断面図。
【図３】本実施形態に係る排水トラップの縦断面図。
【図４】図２に示されたヘアキャッチャ及び封水筒の取付関係を示す分解斜視図。
【図５】ヘアキャッチャの位置を説明する図であり、（ａ）は通常の状態、（ｂ）は浴槽からの排水圧で浮き上がった状態、（ｃ）は取り外し始めた状態を示す図。
【図６】従来の排水トラップの全体概要を示す縦断面図。
【図７】従来のヘアキャッチャ及び封水筒の取付関係を示す分解斜視図。
【図８】従来の排水トラップ上部の部分拡大図。
【符号の説明】
【００５１】
１  ユニットバス
２  防水パン
３  洗い場部
４  浴槽載置部
５  土手部
５ａ  土手欠切部
６  排水ピット部
７  浴槽
７ａ  リム
７ｂ  排水孔
８  壁パネル
９  エプロン
１０  排水トラップ
１１  トラップ本体
１１ａ  封水溜
１１ｂ  浴槽排水取水口
１１ｃ  排水口
１１ｄ  雌ねじ部
１２  取付フランジ
１２ａ雄ねじ部
１２ｂ  フランジ部
１２ｃ  当接面部
１２ｄ当接面欠切部
１３  パッキン
１４  封水筒
１４ａ  筒状部
１４ｂ  環状部
１４ｃ  突起
１４ｄ  鍔
１４ｅ  掛止部
１５  ヘアキャッチャ
１５ａ外環部
１５ｂ  網部
１５ｃ  内環部
１５ｄ  外環欠切部
１５ｅ  抓み部
１６  Ｕパッキン
２０  排水エルボ
２１  フランジ面
２１ａ  浴槽排水孔
２１ｂ  床排水孔
２１ｃ  逆止弁
２２  排水金具
２３  連通管
２４  排水管
２５  排水エルボ取付用開口
３０  排水凹部
３１  トラップカバー
３１ａ  上面
３１ｂ  脚部
【図１】
2005325524.tif 000003
【図２】
2005325524.tif 000004
【図３】
2005325524.tif 000005
【図４】
2005325524.tif 000006
【図５】
2005325524.tif 000007
【図６】
2005325524.tif 000008
【図７】
2005325524.tif 000009
【図８】
2005325524.tif 000010